(57)【要約】      （修正有）【課題】高さ、硬さを調整することができ、かつ形状を調整して好ましい接触と支持を達成することができ、好ましい通気性の得られる枕を提供する。【解決手段】第１袋体１１と、袋構造物１２１と、該袋構造物に内設する弾性体とを含んでなり、かつ該第１袋に内設される支持部１２と、を含んでなる第１層構造部１０と、該第１層構造部上に位置し、かつ内部に形状調整機能を付与するとともに通気性の空間を形成するための充填物２２を具える第２袋体２１を含む第２層構造部２０と、を具えてなる。【選択図】図２
0003191479.tif 000002
【実用新案登録請求の範囲】
【請求項１】
第１袋体と、袋構造物と、該袋構造物に内設する弾性体とを含んでなり、かつ該第１袋に内設される支持部と、を含んでなる第１層構造部と、
該第１層構造部上に位置し、かつ内部に形状調整機能を付与するとともに通気性の空間を形成するための充填物を具える第２袋体を含む第２層構造部と、を具えてなることを特徴とする枕。
【請求項２】
前記充填物がＰＥチューブか、棉材か、プラスチック材か、ゴム材か、豆殻か、もしくは磁石の内の任意の一であることを特徴とする請求項１に記載の枕。
【請求項３】
前記支持の該袋構造物と弾性体が、予め展開して平面状とし、次いで該袋構造物と該弾性体とを二つ折りにし、二つ折りにすることによって形成される開口部の端縁部を熱圧着、接着剤による接着、もしくは縫合などの加工方法によって接合することを特徴とする請求項１に記載の枕。
【請求項４】
前記支持部が空気充填部材を含み、該空気充填部材が少なくとも一以上の空気流通管に接続し、かつ該空気流通管を介して該袋構造物に接続することを特徴とする請求項１に記載の枕。
【請求項５】
前記支持部の袋構造部が複数の空間を有し、該空気流通管が対応する該袋構造物の空間に接続することを特徴とする請求項４に記載の枕。
【請求項６】
前記第１層構造部が第３袋体を具え、該第３袋体と該充填物とが該第２袋体内に設けられることを特徴とする請求項１に記載の枕。
【請求項７】
前記第１層構造部と該第２層構造部とが着脱自在に接続することを特徴とする請求項１に記載の枕。
【請求項８】
前記枕が、さらにパッド体を具えることを特徴とする請求項１に記載の枕。
【請求項９】
前記パッド体が該第１層構造上か、該第１層構造部の底面側か、該第１層構造部の該第１袋体内の上面側か、もしくは該第１層構造部の該第１袋体内の底面側の任意の一に位置に設けることを特徴とする請求項８に記載の枕。
【請求項１０】
前記枕が、所定の弾性を有する棒状支持体を具えることを特徴とする請求項１に記載の枕。
【考案の詳細な説明】
【技術分野】
【０００１】
この考案は枕に関するものである。
【背景技術】
【０００２】
人の一生は、約三分の一時間を枕、寝具とともに過ごすと言われる。良好な構造を有する枕やマット体は睡眠の品質を改善する。よって、人間工学に適った枕、マット体を選択することは極めて重要である。枕、マット体が柔らかすぎ、もしくは硬すぎると。枕、マット体は頭部を支持できなくなるか、もしくは逆に頸椎に不自然な力の加わるような頭部の支持になる。これらの状況は頸椎の変形、傷害を招く恐れがある。
【０００３】
目下市販されている枕には、例えば形状記憶型の枕、もしくは圧力を分散する枕などが見られる。これらはいずれも。上面に単調な円弧線を描く曲面を形成してなり、人体の頭部、頸椎に密接して支持する。然しながら、曲面の傾斜角度、もしくは高さなどは固定されていて、調整することができない。よって、異なる性別、体型などの使用者が使用した場合、使用者によっては違和感がする場合がある。よって、圧力分散と称してはいるものの人間工学に適っておらず、一人一人の使用者に適合させることができない。
【０００４】
また、一部の高さ、硬さの調整可能な枕、マット体で特許の技術によるものが存在するが、但しこれら枕、マット体の構造は複雑すぎるのみならず、高さ、硬さの調整、及び形状を記憶して頭部、頸椎への好ましい接触を得る、などの全ての機能を兼ね備えているわけではない。よって、人間工学の見地から、果たして理想の睡眠を達成できるものであるとは言いがたい。
【０００５】
別途、従来の枕、マット体の形状は、頭部頸椎への好ましい接触が得られないのみならず、通気性に難点が見られる。
【０００６】
また、ベッドのマット、もしくは敷布団などの弾性特性はそれぞれ異なる。よって、枕を使用する場合、枕が頭部を支持すると、軟らかいマットは枕の高さの下降する程度が大きい。逆に硬いマットは枕の高さの加工する程度が小さい。したがって、マット等の硬さが枕の高さの変化に与える影響は極めて大きい。係る知見から言えば、従来の枕は異なる弾性特性、硬さに対応することができず、実用的とは言えない。
【考案の概要】
【考案が解決しようとする課題】
【０００７】
この考案は、高さ、硬さを調整することができ、かつ形状を調整して好ましい接触と支持を達成することができ、好ましい通気性の得られる枕を提供することを課題とする。
【課題を解決するための手段】
【０００８】
そこで、本考案者は従来の枕に見られる欠点に鑑み鋭意研究を重ねた結果、第１袋体と、袋構造物と、該袋構造物に内設する弾性体とを含んでなり、かつ該第１袋に内設される支持部と、を含んでなる第１層構造部と、該第１層構造部上に位置し、かつ内部に形状調整機能を付与するとともに通気性の空間を形成するための充填物を具える第２袋体を含む第２層構造部と、を具えてなる枕によって欠点を改善できる点に着眼し、係る知見に基づいて本考案を完成させた。
【０００９】
以下この考案について具体的に説明する。
請求項１に記載する枕は  第１袋体と、袋構造物と、該袋構造物に内設する弾性体とを含んでなり、かつ該第１袋に内設される支持部と、を含んでなる第１層構造部と、
該第１層構造部上に位置し、かつ内部に形状調整機能を付与するとともに通気性の空間を形成するための充填物を具える第２袋体を含む第２層構造部と、を具えてなる。
【００１０】
請求項２に記載する枕は、請求項１における充填物がＰＥチューブか、棉材か、プラスチック材か、ゴム材か、豆殻か、もしくは磁石の内の任意の一である。
【００１１】
請求項３に記載する枕は  請求項１における支持の該袋構造物と弾性体が、予め展開して平面状とし、次いで該袋構造物と該弾性体とを二つ折りにし、二つ折りにすることによって形成される開口部の端縁部を熱圧着、接着剤による接着、もしくは縫合などの加工方法によって接合する。
【００１２】
請求項４に記載する枕は、請求項１における支持部が空気充填部材を含み、該空気充填部材が少なくとも一以上の空気流通管に接続し、かつ該空気流通管を介して該袋構造物に接続する。
【００１３】
請求項５に記載する枕は、請求項４における支持部の袋構造部が複数の空間を有し、該空気流通管が対応する該袋構造物の空間に接続する。
【００１４】
請求項６に記載する枕は  請求項１における第１層構造部が第３袋体を具え、該第３袋体と該充填物とが該第２袋体内に設けられる。
【００１５】
請求項７に記載する枕は  請求項１における第１層構造部と該第２層構造部とが着脱自在に接続する。
【００１６】
請求項８に記載する枕は  請求項１における枕が、さらにパッド体を具える。
【００１７】
請求項９に記載する枕は、請求項８におけるパッド体が該第１層構造上か、該第１層構造部の底面側か、該第１層構造部の該第１袋体内の上面側か、もしくは該第１層構造部の該第１袋体内の底面側の任意の一に位置に設けられる。
【００１８】
請求項１０に記載する枕は  請求項１における枕が、所定の弾性を有する棒状支持体を具える。
【図面の簡単な説明】
【００１９】
【図１】この考案による枕の斜視図である。
【図２】この考案による枕の構造を示した分解図である。
【図３】この考案における支持部の斜視図である。
【図４】図３に開示する支持部の平面図である。
【図５】この考案による枕の使用態様を示した説明図である。
【図６】この考案による枕の他の使用態様を示した説明図である。
【図７】この考案による枕のその他使用態様を示した説明図である。
【図８】この考案による枕の別の使用態様を示した説明図である。
【図９】この考案における第１層構造部と面ファスナーによって接続するパッド体とを示した説明図である。
【図１０】この考案におけるパッド体を第１袋体内に設ける実施の形態による第１層構造部の分解図である。
【図１１】パッド体を用いた実施の形態による枕の使用態様を示した説明図である。
【図１２】パッド体を用いた実施の形態による枕の他の使用態様を示した説明図である。
【図１３】パッド体を用いた実施の形態による枕のその他の使用態様を示した説明図である。
【図１４】パッド体を用いた実施の形態による枕の別の使用態様を示した説明図である。
【考案を実施するための形態】
【００２０】
この考案による枕は、高さ、硬さを調整することができ、かつ形状を調整して好ましい接触と支持を達成することができ、好ましい通気性の得られる枕を提供するものであって、第１袋体と、袋構造物と、該袋構造物に内設する弾性体とを含んでなり、かつ該第１袋に内設される支持部と、を含んでなる第１層構造部と、該第１層構造部上に位置し、かつ内部に形状調整機能を付与するとともに通気性の空間を形成するための充填物を具える第２袋体を含む第２層構造部と、を具えてなる。係る枕の構造と特徴を説明するために、具体的な実施例を挙げ、図面を参照にして以下に詳述する。
【実施例】
【００２１】
図１から図５に開示するように、この考案による枕は、第１層構造部１０と、第２層構造部２０とを含んでなる。
【００２２】
第１層構造部１０は第１袋体１１と、第１袋体１１に内設する支持部１２とによってなり、支持部１２は、例えば気体を充填した袋体である袋構造物１２１と、例えばウレタンフォームなどである弾性体１２２とによってなる。
【００２３】
弾性体１２２は袋構造物１２１に内設し、支持部１２の弾性的な変形を可能にし、所定の弾性的な支持力を付与する。
【００２４】
第２層構造部２０は第２袋体２１を具えてなり、第２袋体２１は内部に充填物２２を具え、第２袋体２１に圧力を加えた場合、もしくは第２袋体２１の表面を揉んだ場合、充填物２２は容易に位置が移動して位置決めされる。よって、第２袋体２１は充填物２２の作用によって自動的に形状が調整され、かつ通気性の空間が形成される。充填物は、ＰＥチューブ、プラスチック材、ゴム材、磁石、もしくは棉材、豆殻などの植物性の材料を含む。
【００２５】
使用時において、第１層構造部１０の弾性と、第２層構造部２０の形状可変性との組み合わせ、もしくは分離を達成するために、第２層構造部２０は第１層構造部１０上に重ね合わせてもよいが、重ね合わせることなく高さの変化を支持部１２によって行ってもよい。即ち、第２層構造部２０が使用者の頭部に接触して支持することによって、好ましい通気性が得られる。したがって、高さ、硬さを調整でき、形状が変化して頭部に接触し好ましい支持が得られるとともに、好ましい通気性が得られ。
【００２６】
図２、３、４に開示するように、実施例の一つにおいて支持部１２の袋構造物１２１、弾性体１２２は、予め展開して平面状とし、次いで袋構造物１２１、弾性体１２２を二つ折りにし、二つ折りにすることによって形成される開口部の端縁部を熱圧着、接着剤による接着、もしくは縫合などの加工方法によって接合する。
【００２７】
実施例の一つにおいて、支持部１２の袋構造物１２１は複数の空間を有する。これら複数の空間は、袋構造物を上下に熱圧着、もしくは接着剤で接着することによって形成する。
【００２８】
支持部１２は空気充填制御部材１２３を含む。空気充填制御部１２３は、内部にバルブゲートを具え、かつ表面に複数の空気充填、放出を制御する開閉機構を具える。また、空気充填制御部１２３は空気の充填、放出を制御するものであって複数の空気流通管に接続する。空気充填制御部１２３は袋構造物１２１の複数の空間にそれぞれ対応して接続する。
【００２９】
以上の構成により、空気充填制御部１２３は、袋構造物１２１に空気を充填するか、もしくは空気を放出することができ、かつ袋構造物１２１のそれぞれの空間に空気を充填するか、放出することができる。このため、袋状構造物１２１のそれぞれの空間の個々の高さを制御することができる。
【００３０】
図２、５、６に、支持部１２を比較的高く調整した使用態様を開示する。この考案による枕を使用する前に、予め空気充填制御部１２３によって袋構造物１２１に空気を充填する。この場合、袋構造物１２１内では同時に空気圧による作用を受け、また弾性体１２２の弾性による外方向へ拡張する作用によって、自動的に外方向に膨張することが容易に達成される。空気充填制御部１２３が袋構造物１２１への空気の充填を停止すると、袋構造物１２１は負圧の状態となり高さ、形状が固定され、このため支持部１２２の高さが比較的高くなる。
【００３１】
図２、７、６に支持部１２を比較的低く調整した使用状態を開示する。使用者の頭部がこの考案による枕に接触すると、空気充填制御部１２３は空気を放出する状態となり、袋構造物１２１内の気体が放出され、弾性体１２２は負荷を受けて圧縮する。この場合、空気充填制御部１２３が袋構造物１２１からの気体の放出を止め、袋構造部１２１は負圧の状態となって高さ、形状が固定される。このため支持部１２の高さが比較的低くなる、
【００３２】
図２、５に開示するように、実施例の一つにおいて第１構造部１０は第３袋体２３を含んでなり、第３袋体２３は第２袋体２１に内設する。第３袋体２３と充填物２２とを一緒に内設することによって組立とクリーニングの作業を容易にすることができる。
【００３３】
実施例の一つにおいて、第２層構造部２０は、可撓性が具わるように第１層構造部１０の一方の側に接続する。
【００３４】
第１構造部１０と第２層構造部２０との間においては、着脱自在の接続構造を用いる。主に第１袋体１１の第２袋体２１に対応する面には複数の留め具２４を設け、留め具２４によって、第１層構造部１０と第２層構造部２０とを着脱自在にする。係る構成によって、第２層構造部２０は第１層構造部に固定されて、位置がずれて分離することがなくなる。また、使用時において第２層構造体２０を第１層構造部１０上に重ね合わせることを選択しないこともできるようになる。
【００３５】
図９に開示するように、実施例の一つにおいては、着脱自在の接続構造を用いる。主に第１袋体１１の第２袋体２１に対応する面には複数の面ファスナー２５を設け、面ファスナー２５によって、第１層構造部１０と第２層構造部２０とを着脱自在にする。係る構成によって、第２層構造部２０は第１層構造部に固定されて、位置がずれて分離することがなくなる。また、使用時において第２層構造体２０を第１層構造部１０上に重ね合わせることを選択しないこともできるようになる。
【００３６】
図２、５、６に開示するように、実施例の一つとして、この考案による枕はパッド体３０を含む。パッド体３０は所定の弾性を有し、第１層構造部１０上に設ける。即ち、図示するように第１層構造部１０と第２層構造部２０との間に設ける。実施例においてパッド体３０は留め具３１によって第１層構造部１０の袋体１１に接続し、位置を自在に調整できるように設ける。
【００３７】
上述する構成によって、枕の高さをさらに調整することができ、高さの調整に変化を持たせることができる。したがって、この考案による枕は異なる硬さのマットレス等に適用することができ実用的である。
【００３８】
図９に開示するように。実施例の一つにおいて、パッド体３０の一方の側を複数の面ファスナー３２によって第１層構造部１０の第１袋体１１に接続する。よって、パッド体３０は自在に位置を調整することができる。
【００３９】
図２、５に開示するように、実施例の一つにおいて、この考案による枕は棒状支持体４０を含む。棒状支持体４０はウレタンフォームなどによってなり、所定の弾性を有する。棒状支持体４０は第１層構造部１０の第１袋体１１に内設して支持部、もしくは端縁部を形成する。
【００４０】
図２に開示するように、実施例の一つにおいて、袋体１１は開口部１１１を有する。開口部１１１は、ファスナーで開閉し、支持部１２の組み付け、もしくは交換を容易にする。
【００４１】
図１０、１１、１２に開示するようにパッド体３０と支持体４０は、可撓性を以て第１層構造部１１の第１袋体に設け、パッド体３０は第１層構造部１０の第１袋体１１内の上面側に設け、パッド体３０は自在に位置を調整できるように設ける。
【００４２】
図１３、１４に開示するように、実施例の一つにおいてパッド体３０は、第１層構造部１の下側に設ける、即ち、パッド体３０は第１層構造部１０の第１袋体１１内の底面側に設け、かつパッド体３０は自在に位置を調整できるように設ける。
【００４３】
上述する構成により、パッド体３０は第１層構造部１０の第１袋体１１の上、もしくは下に設け、パッド体３０で選択的に枕の高さを高くすることができ、同様にさらに多くの高さに調整し、変化させることができる。
【符号の説明】
【００４４】
１０          第１層構造部
１１          第１袋体
１１１        開口部
１２          支持部
１２１        袋構造物
１２２        弾性体
１２３        空気充填制御部
２０          第２層構造部
２１          第２袋体
２２          充填物
２３          第３袋体
２４          留め具
２５          ファスナー
３０          パッド体
３２          面ファスナー
４０          棒状支持体
【図１】
0003191479.tif 000003
【図２】
0003191479.tif 000004
【図３】
0003191479.tif 000005
【図４】
0003191479.tif 000006
【図５】
0003191479.tif 000007
【図６】
0003191479.tif 000008
【図７】
0003191479.tif 000009
【図８】
0003191479.tif 000010
【図９】
0003191479.tif 000011
【図１０】
0003191479.tif 000012
【図１１】
0003191479.tif 000013
【図１２】
0003191479.tif 000014
【図１３】
0003191479.tif 000015
【図１４】
0003191479.tif 000016
【手続補正書】
【提出日】平成26年4月23日(2014.4.23)
【手続補正１】
【補正対象書類名】実用新案登録請求の範囲
【補正対象項目名】請求項１
【補正方法】変更
【補正の内容】
【請求項１】
第１袋体と、袋構造物と、該袋構造物に内設する弾性体とを含んでなり、かつ該第１袋体に内設される支持部と、を含んでなる第１層構造部と、
該第１層構造部上に位置し、かつ内部に形状調整機能を付与するとともに通気性の空間を形成するための充填物を具える第２袋体を含む第２層構造部と、を具えてなることを特徴とする枕。
【手続補正２】
【補正対象書類名】実用新案登録請求の範囲
【補正対象項目名】請求項３
【補正方法】変更
【補正の内容】
【請求項３】
前記支持部の該袋構造物と弾性体が、予め展開して平面状とし、次いで該袋構造物と該弾性体とを二つ折りにし、二つ折りにすることによって形成される開口部の端縁部を熱圧着、接着剤による接着、もしくは縫合などの加工方法によって接合することを特徴とする請求項１に記載の枕。
【手続補正３】
【補正対象書類名】実用新案登録請求の範囲
【補正対象項目名】請求項５
【補正方法】変更
【補正の内容】
【請求項５】
前記支持部の袋構造物が複数の空間を有し、該空気流通管が対応する該袋構造物の空間に接続することを特徴とする請求項４に記載の枕。
【手続補正４】
【補正対象書類名】実用新案登録請求の範囲
【補正対象項目名】請求項９
【補正方法】変更
【補正の内容】
【請求項９】
前記パッド体が該第１層構造部上か、該第１層構造部の底面側か、該第１層構造部の該第１袋体内の上面側か、もしくは該第１層構造部の該第１袋体内の底面側に設けられることを特徴とする請求項８に記載の枕。
【手続補正５】
【補正対象書類名】明細書
【補正対象項目名】０００８
【補正方法】変更
【補正の内容】
【０００８】
そこで、本考案者は従来の枕に見られる欠点に鑑み鋭意研究を重ねた結果、第１袋体と、袋構造物と、該袋構造物に内設する弾性体とを含んでなり、かつ該第１袋体に内設される支持部と、を含んでなる第１層構造部と、該第１層構造部上に位置し、かつ内部に形状調整機能を付与するとともに通気性の空間を形成するための充填物を具える第２袋体を含む第２層構造部と、を具えてなる枕によって欠点を改善できる点に着眼し、係る知見に基づいて本考案を完成させた。
【手続補正６】
【補正対象書類名】明細書
【補正対象項目名】０００９
【補正方法】変更
【補正の内容】
【０００９】
以下この考案について具体的に説明する。
請求項１に記載する枕は  第１袋体と、袋構造物と、該袋構造物に内設する弾性体とを含んでなり、かつ該第１袋体に内設される支持部と、を含んでなる第１層構造部と、
該第１層構造部上に位置し、かつ内部に形状調整機能を付与するとともに通気性の空間を形成するための充填物を具える第２袋体を含む第２層構造部と、を具えてなる。
【手続補正７】
【補正対象書類名】明細書
【補正対象項目名】００１１
【補正方法】変更
【補正の内容】
【００１１】
請求項３に記載する枕は、請求項１における支持部の該袋構造物と弾性体が、予め展開して平面状とし、次いで該袋構造物と該弾性体とを二つ折りにし、二つ折りにすることによって形成される開口部の端縁部を熱圧着、接着剤による接着、もしくは縫合などの加工方法によって接合する。
【手続補正８】
【補正対象書類名】明細書
【補正対象項目名】００１３
【補正方法】変更
【補正の内容】
【００１３】
請求項５に記載する枕は、請求項４における支持部の袋構造物が複数の空間を有し、該空気流通管が対応する該袋構造物の空間に接続する。
【手続補正９】
【補正対象書類名】明細書
【補正対象項目名】００１７
【補正方法】変更
【補正の内容】
【００１７】
請求項９に記載する枕は、請求項８におけるパッド体が該第１層構造部上か、該第１層構造部の底面側か、該第１層構造部の該第１袋体内の上面側か、もしくは該第１層構造部の該第１袋体内の底面側に設けられる。